(57)【要約】【課題】  光反射層を利用することにより、走査線あるいはデータ線としての第１の透明電極の電気的抵抗を実質的に低減可能な電気光学装置およびそれを用いた電子機器を提供すること。【解決手段】  電気光学装置１において、第２透明基板２０には、光散乱用凹凸を形成する下地層２２、光反射層２３、３色のカラーフィルタ層２５Ｒ、２５Ｇ、２５Ｂ、絶縁膜からなる層厚調整層２６、走査線２７、および配向膜２８がこの順に積層されている。これらの層のうち、光反射層２３は走査線２７と同様、帯状に形成され、画像表示領域３の外側で両端部が走査線２７に電気的に接続されている。従って、走査線２７の電気的抵抗を実質的に低減することができる。【選択図】    図４
2006098453.tif 000002
【特許請求の範囲】
【請求項１】
第１の透明電極を備えた第１の基板と、前記第１の透明電極に対向する箇所を複数の画素としてマトリクス状に構成するための第２の透明電極を備えた第２の基板と、前記第１の基板と前記第２の基板との間に保持された電気光学物質とを有する電気光学装置において、
前記第１の基板には、前記複数の画素の各々で反射モードでの画像表示を可能とする導電性の光反射層、および絶縁層が当該第１の基板側からこの順に積層されているとともに、前記第１の透明電極は、前記絶縁層の上層側で複数本の走査線あるいは複数本のデータ線として所定方向に延設され、
前記光反射層は、複数本に分割されて各々が前記複数本の第１の透明電極の各々に沿って延設されているとともに、その延設方向において前記画素を複数挟んだ２箇所以上で前記第１の透明電極に電気的に接続していることを特徴とする電気光学装置。
【請求項２】
請求項１において、前記複数本に分割された光反射層は各々、前記画素がマトリクス状に配列された画像表示領域の両側２箇所で前記第１の透明電極に電気的に接続されていることを特徴とする電気光学装置。
【請求項３】
請求項１または２において、前記第１の透明電極は、ＩＴＯ層あるいはＩＺＯ層から構成され、
前記光反射層は、アルミニウム、銀、チタン、モリブデン、タンタル、あるいはこれらの金属の合金若しくは金属化合物からなることを特徴とする電気光学装置。
【請求項４】
請求項１ないし３のいずれかにおいて、前記画素では、前記光反射層の一部が除去されて透過モードでの画像の表示を可能とする光透過部が形成されていることを特徴とする電気光学装置。
【請求項５】
請求項１ないし３のいずれかにおいて、前記電気光学物質は、負の誘電異方性を有する液晶であり、
前記第２の透明電極は、前記画素内で互いに離間する反射表示用サブ電極と透過表示用サブ電極とに分割されて各サブ電極により前記液晶を分割配向するように構成され、
前記光反射層は、前記反射表示用電極および前記透過表示用電極のうち、前記反射表示用電極と平面的に重なる領域を通るように延設されていることを特徴とする電気光学装置。
【請求項６】
請求項４または５において、前記絶縁層は、前記画素内において前記光反射層が形成されていない透過表示領域を前記光反射層が形成されている反射表示領域よりも凹ませて前記透過表示領域における前記電気光学物質の層厚を前記反射表示領域よりも厚くする層厚調整層であることを特徴とする電気光学装置。
【請求項７】
請求項１ないし６のいずれかにおいて、前記複数本に分割された光反射層は各々、前記第１の透明電極に沿って帯状に延設されていることを特徴とする電気光学装置。
【請求項８】
請求項１ないし７のいずれかに規定する電気光学装置を備えていることを特徴とする電子機器。
【発明の詳細な説明】
【技術分野】
【０００１】
本発明は、反射モードで画像を表示可能な電気光学装置、およびこの電気光学装置を備えた電子機器に関するものである。
【背景技術】
【０００２】
第１の透明電極を備えた第１の基板と、第１の透明電極に対向して複数の画素をマトリクス状に構成する第２の透明電極を備えた第２の基板と、第１の基板と第２の基板との間に保持された電気光学物質とを有する電気光学装置において、外光を利用した反射モードで画像を表示する場合、第１の基板には、第１の透明電極の下層側に、アルミニウムなどの光反射層が形成される（例えば、特許文献１）。
【０００３】
また、特許文献１に記載の電気光学装置では、光反射層に光透過部を形成することにより、透過モードでの画像の表示も可能になっている。さらに、光反射層と第１の透明電極との間に絶縁層を形成し、この絶縁層により、各画素において透過モードで画像表示を行う透過表示領域を反射モードで画像表示を行う反射表示領域よりも凹ませて透過表示領域における電気光学物質の層厚を反射表示領域よりも厚くし、透過表示時と反射表示時のリタデーションを調整するようになっている。このため、特許文献１に記載の電気光学装置では、光反射層と第１の透明電極とは絶縁層によって絶縁された状態にある。
【特許文献１】特開２００３−２４８２２２号公報
【発明の開示】
【発明が解決しようとする課題】
【０００４】
このような電気光学装置において、クロストークの防止や高速駆動を図るには、走査線あるいは信号線として使用されている第１の透明電極を低抵抗化する必要がある。しかしながら、第１の透明電極として使用できる材質は限られているなどの理由から、第１の透明電極を低抵抗化することが難しいという問題点がある。
【０００５】
また、電気光学物質として垂直配向された液晶を用いる場合、第１の透明電極、あるいは第２の透明電極については、画素内で互いに離間する反射表示用サブ電極と透過表示用サブ電極とに分割されて各サブ電極により前記液晶を分割配向するように構成したＣＰＡ（Ｃｏｎｔｉｎｕｏｕｓ  Ｐｉｎｗｈｅｅｌ  Ａｌｉｇｎｍｅｎｔ）モードを採用することが多く、このような電極構造を採用した場合には、電極部分での電気的抵抗が増大し、高速駆動を図れないなどの問題点がある。
【０００６】
以上の問題点に鑑みて、本発明の課題は、光反射層を利用することにより、走査線あるいはデータ線としての第１の透明電極の電気的抵抗を実質的に低減可能な電気光学装置およびそれを用いた電子機器を提供することにある。
【課題を解決するための手段】
【０００７】
上記課題を解決するために、本発明では、第１の透明電極を備えた第１の基板と、前記第１の透明電極に対向して複数の画素をマトリクス状に構成するための第２の透明電極を備えた第２の基板と、前記第１の基板と前記第２の基板との間に保持された電気光学物質とを有する電気光学装置において、前記第１の基板には、前記複数の画素の各々で反射モードでの画像表示を可能とする導電性の光反射層、および絶縁層が当該第１の基板側からこの順に積層されているとともに、前記第１の透明電極は、前記絶縁層の上層側で複数本の走査線あるいは複数本のデータ線として所定方向に延設され、前記光反射層は、複数本に分割されて各々が前記複数本の第１の透明電極の各々に沿って延設されているとともに、その延設方向において前記画素を複数挟んだ２箇所以上で前記第１の透明電極に電気的に接続していることを特徴とする。
【０００８】
本発明では、導電性の光反射層を複数本に分割して第１の透明電極の各々に沿って延設し、かつ、その延設方向において画素を複数挟んだ位置で第１の透明電極に電気的に接続している。このため、光反射層は、第１の透明電極と並列に電気的に接続された状態にあるので、走査線あるいはデータ線としての第１の透明電極の電気的抵抗を実質的に低減することができる。従って、クロストークを防止することができるとともに、高速駆動を図ることができる。
【０００９】
本発明において、前記複数本に分割された光反射層は各々、前記画素がマトリクス状に配列された画像表示領域の両側２箇所で前記第１の透明電極に電気的に接続されていることが好ましい。このように構成した場合には、画像表示領域の外側で絶縁層を除去するだけで光反射層と第１の透明電極とを電気的に接続することができる。
【００１０】
本発明において、前記第１の透明電極は、例えば、ＩＴＯ（Ｉｎｄｉｕｍ  Ｔｉｎ  Ｏｘｉｄｅ）層あるいはＩＺＯ（Ｉｎｄｉｕｍ  Ｚｉｎｃ  Ｏｘｉｄｅ）層から構成され、前記光反射層は、例えば、アルミニウム、銀、チタン、モリブデン、タンタル、あるいはこれらの金属の合金若しくは金属化合物からなる。ここで、前記光反射層は、これらの金属、その合金若しくは金属化合物を単層で用いてもよいが、複数の層を積層した構造であってもよい。
【００１１】
本発明において、前記画素では、前記光反射層の一部が除去されて透過モードでの画像の表示を可能とする光透過部が形成されていることが好ましい。
【００１２】
本発明において、前記電気光学物質は、負の誘電異方性を有する液晶であり、前記第２の透明電極は、前記画素内で互いに離間する反射表示用サブ電極と透過表示用サブ電極とに分割されて各サブ電極により前記液晶を分割配向するように構成され、前記光反射層は、前記反射表示用電極および前記透過表示用電極のうち、前記反射表示用電極と平面的に重なる領域を通るように延設されていることが好ましい。このようなＡＰＣモードを採用した場合、画素内で透明電極を反射表示用サブ電極と透過表示用サブ電極とに分割するため、電極抵抗が増大するが、このような電極抵抗の増大については、光反射層を第１の透明電極と並列に電気的に接続したことによる電気的抵抗の低減で補うことができる。従って、液晶の配向状態を優先して透明電極の分割数や形状などといった構造を決定することができる。
【００１３】
本発明において、前記絶縁層は、例えば、前記画素内において前記光反射層が形成されていない透過表示領域を前記光反射層が形成されている反射表示領域よりも凹ませて前記透過表示領域における前記電気光学物質の層厚を前記反射表示領域よりも厚くする層厚調整層である。このように構成すると、反射モードでは、光が電気光学物質層を２回通過するのに対して、透過モードでは、光が電気光学物質層を１回しか通過しない場合でも、透過表示領域と反射表示領域とでリタデーションを最適化することができる。
【００１４】
本発明において、前記複数本に分割された光反射層は、例えば、各々が前記第１の透明電極に沿って帯状に延設されている。
【００１５】
本発明に係る電気光学装置は、携帯電話機やモバイルコンピュータなどといった電子機器に用いられる。
【発明を実施するための最良の形態】
【００１６】
以下、図面を参照し、本発明の実施の形態について説明する。なお、以下に示す各図においては、各構成要素を図面上で認識され得る程度の大きさとするため、各構成要素の寸法や比率を実際のものとは適宜に異ならせてある。
【００１７】
［実施の形態１］
（電気光学装置の全体構成）
図１および図２はそれぞれ、本発明に係る電気光学装置の電気的構成を示すブロック図、およびその斜視図である。図３は、本発明の実施の形態１に係る電気光学装置の概略構成を示す分解斜視図である。図４（ａ）、（ｂ）は、本発明の実施の形態１に係る電気光学装置を図２のＡ−Ａ′線に相当する位置で切断したときの一方側端部の断面図、および他方側端部の断面図である。図５は、本発明の実施の形態１に係る電気光学装置における画素電極、走査線、および光反射層の位置関係を平面的に示す説明図である。なお、図５では、画素電極、走査線、および光反射層を各々認識しやすいように互いの位置をわずかにずらしてある。
【００１８】
図１に示すように、電気光学装置１では、複数本の走査線２７が行（Ｘ）方向に形成され、複数本のデータ線１７が列（Ｙ）方向に形成されている。また、走査線１７とデータ線２７との各交差部分に対応して、多数のサブ画素５がマトリクス状に形成されている。各サブ画素５では、電気光学物質としてのネマチック液晶などからなる液晶層８と、二端子型アクティブ素子たるＴＦＤ素子１５とが直列接続している。ここに示す例では、液晶層８が走査線２７の側に接続され、ＴＦＤ素子１５がデータ線１７の側に接続されているが、液晶層８がデータ線１７の側に接続され、ＴＦＤ素子１５が走査線２７の側に接続されている構成であってもよい。いずれの場合も、各走査線２７は、走査線駆動回路２７００によって駆動される一方、各データ線１７は、データ線駆動回路１７０によって駆動される。本形態の電気光学装置１はカラー表示用であり、各サブ画素５に所定の色を対応させて、これらの各色に対応するサブ画素５をサブピクセルとするとともに、複数のサブ画素５によって１つのピクセルが構成される。このような電気光学装置１は、例えば、図２、図３および図４に示すように構成される。
【００１９】
図２、図３および図４において、本形態の電気光学装置１は、電気光学物質としての液晶層８（図２および図３においては図示略）を第１透明基板１０（素子基板）と第２透明基板２０（カラーフィルタ基板）との間に保持する液晶パネル２と、この液晶パネル２の第２透明基板２０の側に配設されたバックライトユニット９（図２においては図示略）とを有しており、液晶パネル２の略中央部領域には、複数のサブ画素５がマトリクス状に配列された画像表示領域３を備えている。本形態においては、便宜上、液晶層８に対して第１透明基板１０側を、電気光学装置１による表示画像を視認する観察者が位置する側という意味で「観察側」と表記し、液晶８からみて第２透明基板２０側を「背面側」と表記する。
【００２０】
バックライトユニット９は、例えば、光透過性樹脂の成形品などからなる導光板９１と、ＬＥＤや冷陰極管などの光源９２とを備えており、この光源９２は、板状部材である導光板９１の側端面に対して光を照射する。導光板９１のうち、液晶パネル２と対向する面には、導光板９１からの光を液晶パネル２に対して一様に拡散させる拡散板（図示略）が配置されている。また、導光板９１の反対側の面には、導光板９１から背面側に出射しようとする光を液晶パネル２側に反射させる反射板（図示略）が配置されており、その側端面から入射した光を液晶パネル２の第２透明基板２０に向けて一様に出射する。
【００２１】
液晶パネル２において、第１透明基板１０は、ガラスなどの光透過性材料からなる板状部材である。第１透明基板１０の観察側の面には、位相差板３１（図２、図３では図示略）と偏光板３２（図２、図３では図示略）が、第１透明基板１０の側からこの順で積層されている。第１透明基板１０の液晶層８の側（背面側）の面には、ＩＴＯ膜などからなる光透過性の画素電極１４がマトリクス状に配置されている。この各画素電極１４の間隙には、一方向（図２に示すＹ方向）に延在する複数のデータ線１７が形成されており、各画素電極１４と各データ線１７とはそれぞれ、非線形な電流−電圧特性を有する二端子型スイッチング素子であるＴＦＤ（Ｔｈｉｎ  Ｆｉｌｍ  Ｄｉｏｄｅ）素子１５を介して接続されている。また、図４に示すように、画素電極１４、データ線１７およびＴＦＤ素子１５が形成された第１透明基板１０の表面は、配向膜１８（図３では図示略）により覆われている。この配向膜１８は、ポリイミドなどの有機薄膜や無機薄膜である。
【００２２】
第２透明基板２０は、ガラスなどの光透過性材料からなる板状部材であり、その背面側には、第１透明基板１０と同様に、位相差板３６（図２、図３では図示略）と偏光板３７（図２、図３では図示略）が、第２の基板２０の側からこの順に積層されている。一方、第２透明基板２０の液晶層８の側（観察側）の面には、下地層２２、光反射層２３、３色のカラーフィルタ層２５Ｒ、２５Ｇ、２５Ｂ、絶縁膜からなる層厚調整層２６、走査線２７、および配向膜２８（図３では図示略）が第２透明基板２０の側からこの順に積層されている。これらの層のうち、配向膜２８は、配向膜１８と同様、ポリイミドなどの有機薄膜や無機薄膜である。
【００２３】
下地層２２は、ポジタイプの感光性樹脂などを露光・現像することにより形成されたものである。下地層２２は、画素５の略中央領域に樹脂が完全に除去された開口部２２１が形成され、観察側（表面）には、滑らかな凹凸を備えた凹凸面を有している。
【００２４】
光反射層２３は、例えば、アルミニウムまたは銀などの光反射性を有する材料を下地層２２の上層側に略一定の膜厚にて薄膜形成されたものであり、光反射層２３の表面は、下地層２２の凹凸状の表面形状が反映された散乱反射面になっている。ここで、光反射層２３は、下地層２２の開口部２２１に相当する部分が完全に除去された光透過部２３１を備えている。従って、本形態において、光反射層２３は半透過光反射層として構成されている。
【００２５】
カラーフィルタ層２５Ｒ、２５Ｇ、２５Ｂは、各画素５に対応して設けられた樹脂層である。各カラーフィルタ層２５Ｒ、２５Ｇ、２５Ｂは、顔料などにより赤色（Ｒ）、緑色（Ｇ）および青色（Ｂ）のいずれかにそれぞれ着色されており、その色に対応する波長の光を選択的に透過させる。なお、図３などにおける「Ｒ」、「Ｇ」および「Ｂ」は、複数の画素５の各々に、いずれの色のカラーフィルタ層２５Ｒ、２５Ｇ、２５Ｂが配置されるかを示している。
【００２６】
各サブ画素５の境界領域には、光反射層２３の表面に遮光層２９が形成され、この遮光層２９によって、ブラックマトリクスあるいはブラックストライプが構成されている。
【００２７】
複数の走査線２７の各々は、ＩＴＯなどの光透過性導電材料により形成された帯状の電極である。走査線２７は、層厚調整層２６の上層に形成されており、上述したデータ線１７と交差する方向（Ｘ方向）に延設され、第１透明基板１０上に列をなす複数の画素電極１４と対向するように形成されている。
【００２８】
以上説明した構成の第１透明基板１０および第２透明基板２０は、図４（ａ）、（ｂ）に示すように、シール材４０を介して貼り合わされるとともに、両基板とシール材４０とによって囲まれた領域に、例えばＴＮ（Ｔｗｉｓｔｅｄ  Ｎｅｍａｔｉｃ）型などの液晶層８が封止される。ここで、第１透明基板１０に形成された配線パターンと、第２透明基板２０に形成された配線パターンとは、所定のパターン同士、シール材４０に含まれる基板間導電粒子４１によって電気的に接続されている。このため、図２に示すように、第１透明基板１０の第２透明基板２０からの張り出し領域１９に駆動用ＩＣ６１、６２、６３を実装し、かつ、可撓性基板６４を接続するだけで、液晶パネル２を駆動することができる。
【００２９】
（サブ画素５の詳細な構成）
図４（ａ）、（ｂ）および図５に示すように、本形態の電気光学装置１では、第２透明基板２０に形成された下地層２２によって、光反射層２３の表面には光散乱用の凹凸が形成されている。下地層２２は、サブ画素５の略中央に樹脂が完全に除去された矩形の開口部２２１を備えており、光反射層２３は、下地層２２の開口２２１に相当する部分が除去された矩形の光透過部２３１を備えている。従って、サブ画素５Ｒ、５Ｇ、５Ｂには、光透過部２３１に相当する領域によって透過モードでカラー画像を表示するための透過表示領域５１Ｒ、５１Ｇ、５１Ｂが形成され、光反射層２３によって反射表示領域５２Ｒ、５２Ｇ、５２Ｂが形成されている。
【００３０】
また、光反射層２３と走査線２７との間において、層厚調整層２６は、透過表示領域５１Ｒ、５１Ｇ、５１Ｂに相当する領域では薄く、反射表示領域５２Ｒ、５２Ｇ、５２Ｂでは厚い。このため、層厚調整層２６は、透過表示領域５１Ｒ、５１Ｇ、５１Ｂを反射表示領域５２Ｒ、５２Ｇ、５２Ｂよりも凹ませて透過表示領域５１Ｒ、５１Ｇ、５１Ｂにおける液晶層８の厚さを反射表示領域５２Ｒ、５２Ｇ、５２Ｂよりも厚くしている。
【００３１】
（光反射層２３の詳細な構成）
このように構成した電気光学装置１において、走査線２７は、層厚調整層２６の上層側でＸ方向に延設されている一方、光反射層２３は、複数本の帯状に分割されて各々が複数本の走査線２７の各々に沿ってＸ方向に延設されている。従って、光反射層２３は、サブ画素５の境界領域のうち、Ｘ方向に延設する境界領域には形成されていない。
【００３２】
また、光反射層２３は、図４（ａ）に示すように、画像表示領域３の外側において、層厚調整層２６の除去領域で、その一方側端部２３６と走査線２７の延設部分２７６とが電気的に接続している。さらに、光反射層２３は、図４（ｂ）に示すように、画像表示領域３の外側において、層厚調整層２６の除去領域で、その他方側端部２３７と走査線２７の延設部分２７７とが電気的に接続している。それ故、帯状の各光反射層２３は、その延設方向（Ｘ方向）において複数のサブ画素５Ｒ、５Ｇ、５Ｂを挟んだ位置で走査線２７に電気的に接続している。
【００３３】
（本形態の主な効果）
このように構成した電気光学装置１において、第１透明基板１０と第２透明基板２０とにより狭持された液晶層８は、画素電極１４とこれに対向する走査線２７との間に電圧が印加されることにより、その配向方向が変化する。従って、液晶パネル２の背面側から入射したバックライトユニット９からの光（矢印Ｌ１で示す）は、開口部２２１および光透過部２３１を通過して液晶層８で光変調された後、表示光（矢印Ｌ０で示す）として観察側に出射され、透過モードで画像が表示される。これに対して、液晶パネル２に観察側から外光が入射すると（矢印Ｌ２で示す）、外光は、液晶層８で光変調された後、光反射層２３により散乱反射されて、再び液晶８で光変調され、しかる後に、観察側に向けて表示光（矢印Ｌ０で示す）として出射され、反射モードでの画像を表示する。
【００３４】
ここで、層厚調整層２６は、透過表示領域５１Ｒ、５１Ｇ、５１Ｂを反射表示領域５２Ｒ、５２Ｇ、５２Ｂよりも凹ませて透過表示領域５１Ｒ、５１Ｇ、５１Ｂにおける液晶層８の厚さを反射表示領域５２Ｒ、５２Ｇ、５２Ｂよりも厚くしているため、反射モードでは、光が液晶層８を２回通過するのに対して、透過モードでは、光が液晶層８を１回しか通過しない場合でも、透過表示領域５１Ｒ、５１Ｇ、５１Ｂと反射表示領域５２Ｒ、５２Ｇ、５２Ｂとでリタデーションを最適化することができる。
【００３５】
さらに、本形態において、多数本の光反射層２３は各々、画像表示領域３の外側で両端部が走査線２７に電気的に接続され、走査線２７と並列に電気的に接続された状態にある。従って、走査線２７の電気的抵抗を実質的に低減することができるので、クロストークを防止することができるとともに、高速駆動を図ることができる。
【００３６】
しかも、複数本に分割された光反射層２３は各々、画像表示領域３の両側２箇所で走査線２７に電気的に接続しており、このような接続構造であれば、画像表示領域３の外側で層厚調整層２６を除去し、かつ、光反射層２３を画像表示領域３の外側まで延長するだけで光反射層２３と走査線２７とを電気的に接続することができる。
【００３７】
［実施の形態２］
（全体構成）
図６は、本発明の実施の形態２に係る電気光学装置の概略構成を示す分解斜視図である。図７（ａ）、（ｂ）は、本発明の実施の形態２に係る電気光学装置を図２のＡ−Ａ′線に相当する位置のうち、反射表示領域を通る位置で切断したときの一方側端部の断面図、および透過表示領域を通る位置で切断したときの一方側端部の断面図である。図８は、本発明の実施の形態１に係る電気光学装置における画素電極、走査線、および光反射層の位置関係を平面的に示す説明図である。なお、図８では、画素電極、走査線、および光反射層を各々認識しやすいように互いの位置をわずかにずらしてある。また、本形態の基本的な構成は、実施の形態１と共通するため、共通する機能を有する部分については同一の符号を付してそれらの説明を省略する。
【００３８】
図６に示すように、本形態の電気光学装置１も、実施の形態１と同様、複数本の走査線２７が行（Ｘ）方向に形成され、複数本のデータ線１７が列（Ｙ）方向に形成されている。また、走査線１７とデータ線２７との各交差部分に対応して、多数のサブ画素５がマトリクス状に形成されている。また、本形態の電気光学装置１もカラー表示用であり、各サブ画素５に所定の色を対応させて、これらの各色に対応するサブ画素５をサブピクセルとするとともに、複数のサブ画素５によって１つのピクセルが構成される。
【００３９】
図６、図７および図８において、第１透明基板１０は、ガラスなどの光透過性材料からなる板状部材であり、その液晶層８の側（背面側）の面には、ＩＴＯ膜などからなる光透過性の画素電極１４がマトリクス状に配置されている。この各画素電極１４の間隙には、一方向（Ｙ方向）に延在する複数のデータ線１７が形成されており、各画素電極１４と各データ線１７とはそれぞれ、非線形な電流−電圧特性を有する二端子型スイッチング素子であるＴＦＤ（Ｔｈｉｎ  Ｆｉｌｍ  Ｄｉｏｄｅ）素子１５を介して接続されている。また、図７に示すように、画素電極１４、データ線１７およびＴＦＤ素子１５が形成された第１透明基板１０の表面は、配向膜１８により覆われている。この配向膜１８は例えば無機薄膜である。
【００４０】
ここで、液晶層８は、垂直配向された液晶によって構成され、このようなＶＡＮ（Ｖｅｒｔｉｃａｌ Ａｌｉｇｎｅｄ Ｎｅｍａｔｉｃ）モードの液晶は、負の誘電異方性を備えている。
【００４１】
（サブ画素の詳細な構成）
本形態において、画素電極１４は、サブ画素５内で互いに離間する円形の反射表示用サブ電極１４１、円形の透過表示用サブ電極１４２、および円形の反射表示用サブ電極１４１とに分割され、これらのサブ電極同士は、連結部１４４、１４５で接続されている。また、いずれのサブ電極１４１、１４２、１４３の中央にも小孔１４０が形成されている。
【００４２】
なお、本形態では、サブ電極１４１、１４２、１４３を３つの円形領域として形成したが、その平面形状については四角形や八角形などといった矩形に形成してもよい。また、本形態では、３つのサブ電極１４１、１４２、１４３を一列に並べたが、４つのサブ画素を格子状に配置してもよい。
【００４３】
いずれの場合も、液晶層８を垂直配向された液晶によって構成した場合には、初期配向状態で液晶分子が基板面に対して垂直に立っているものを、電界印加により倒すわけであるから、何も工夫をしなければ、すなわち、プレチルトが付与されていなければ液晶分子の倒れる方向を制御できず、配向の乱れ（ディスクリネーション）が生じて光抜け等の表示不良が生じ、表示特性を落としてしまう。そのため、ＶＡＮモードの採用にあたって、本形態では、画素電極１４をサブ電極１４１、１４２、１４３に分割して、電界印加時の液晶分子の配向方向を制御している。具体的には、画素電極１４を分割したことにより、走査線２７との間で斜め電界を生じさせ、この斜め電界に応じたプレチルトを付与する。
【００４４】
第２透明基板２０は、ガラスなどの光透過性材料からなる板状部材であり、液晶層８の側（観察側）の面には、下地層２２、光反射層２３、３色のカラーフィルタ層２５Ｒ、２５Ｇ、２５Ｂ、絶縁膜からなる層厚調整層２６、走査線２７、および配向膜２８が第２透明基板２０の側からこの順に積層されている。これらの層のうち、配向膜２８は、配向膜１８と同様、例えば、無機薄膜である。
【００４５】
各サブ画素５の境界領域（画素間の境界領域）には、光反射層２３の表面に遮光層２９が形成され、この遮光層２９によって、ブラックマトリクスあるいはブラックストライプが構成されている。
【００４６】
複数の走査線２７の各々は、ＩＴＯなどの光透過性導電材料により形成された帯状の電極である。走査線２７は、層厚調整層２６の上層に形成されており、上述したデータ線１７と交差する方向（Ｘ方向）に延設され、第１透明基板１０上に列をなす複数の画素電極１４と対向するように形成されている。
【００４７】
下地層２２は、ポジタイプの感光性樹脂などを露光・現像することにより形成されたものである。また、光反射層２３は、例えば、アルミニウムまたは銀などの光反射性を有する材料を下地層２２の上層側に略一定の膜厚にて薄膜形成されたものであり、光反射層２３の表面は、下地層２２の凹凸状の表面形状が反映された散乱反射面になっている。
【００４８】
ここで、下地層２２および光反射層２３は、図７（ａ）に示すように、第１透明基板１０の反射表示用サブ電極１４１、１４２と対向する領域を通るように形成されている一方、図７（ｂ）に示すように、透過表示用サブ電極１４２と対向する領域には形成されていない。また、光反射層２３は、サブ画素５の境界領域のうち、Ｘ方向に延設する境界領域には形成されていない。従って、光反射層２３は、複数本の帯状に分割されて各々が複数本の走査線２７の各々に沿ってＸ方向に延設され、かつ、１本の走査線２７に対して２本の光反射層２３が平面的に重なっている。
【００４９】
また、光反射層２３は、図７（ａ）に示すように、画像表示領域３の外側において、層厚調整層２６の除去領域で、その一方側端部２３６と走査線２７の延設部分２７６とが電気的に接続している。なお、図示を省略するが、光反射層２３は、画像表示領域３の外側において、層厚調整層２６の除去領域で、その他方側端部２３７と走査線２７の延設部分２７７とが電気的に接続している。それ故、帯状の各光反射層２３は、その延設方向（Ｘ方向）において複数のサブ画素５Ｒ、５Ｇ、５Ｂを挟んだ位置で走査線２７に電気的に接続している。
【００５０】
このようにして、本形態では、サブ画素５Ｒ、５Ｇ、５Ｂには、透過表示用サブ電極１４２に対応する領域（光反射層２３が形成されていない領域）によって透過モードでカラー画像を表示するための透過表示領域５１Ｒ、５１Ｇ、５１Ｂが形成され、反射表示用サブ電極１４１、１４３に対応する領域（光反射層２３が形成されている領域）によって反射モードでカラー画像を表示するための反射表示領域５２Ｒ、５２Ｇ、５２Ｂが形成されている。
【００５１】
また、層厚調整層２６は、図７（ｂ）に示す透過表示領域５１Ｒ、５１Ｇ、５１Ｂに相当する領域では薄く、図７（ａ）に示す反射表示領域５２Ｒ、５２Ｇ、５２Ｂでは厚い。このため、層厚調整層２６は、透過表示領域５１Ｒ、５１Ｇ、５１Ｂを反射表示領域５２Ｒ、５２Ｇ、５２Ｂよりも凹ませて透過表示領域５１Ｒ、５１Ｇ、５１Ｂにおける液晶層８の厚さを反射表示領域５２Ｒ、５２Ｇ、５２Ｂよりも厚くしている。
【００５２】
（本形態の主な効果）
このように構成した電気光学装置１においても、第１透明基板１０と第２透明基板２０とにより狭持された液晶層８は、画素電極１４とこれに対向する走査線２７との間に電圧が印加されることにより、その配向方向が変化する。従って、液晶パネル２の背面側から入射したバックライトユニット９からの光（矢印Ｌ１で示す）は、開口部２２１および光透過部２３１を通過して液晶層８で光変調された後、表示光（矢印Ｌ０で示す）として観察側に出射され、透過モードで画像が表示される。これに対して、液晶パネル２に観察側から外光が入射すると（矢印Ｌ２で示す）、外光は、液晶層８で光変調された後、光反射層２３により散乱反射されて、再び液晶８で光変調され、しかる後に、観察側に向けて表示光（矢印Ｌ０で示す）として出射され、反射モードでの画像を表示する。
【００５３】
ここで、層厚調整層２６は、透過表示領域５１Ｒ、５１Ｇ、５１Ｂを反射表示領域５２Ｒ、５２Ｇ、５２Ｂよりも凹ませて透過表示領域５１Ｒ、５１Ｇ、５１Ｂにおける液晶層８の厚さを反射表示領域５２Ｒ、５２Ｇ、５２Ｂよりも厚くしているため、反射モードでは、光が液晶層８を２回通過するのに対して、透過モードでは、光が液晶層８を１回しか通過しない場合でも、透過表示領域５１Ｒ、５１Ｇ、５１Ｂと反射表示領域５２Ｒ、５２Ｇ、５２Ｂとでリタデーションを最適化することができる。
【００５４】
さらに、本形態において、多数本の光反射層２３は各々、画像表示領域３の外側で両端部が走査線２７に電気的に接続され、走査線２７と並列に電気的に接続された状態にある。従って、走査線２７の電気的抵抗を実質的に低減することができるので、クロストークを防止することができるとともに、高速駆動を図ることができる。
【００５５】
しかも、複数本に分割された光反射層２３は各々、サブ画素５Ｒ、５Ｇ、５Ｂがマトリクス状に配列された画像表示領域３の両側２箇所で走査線２７に電気的に接続しており、このような接続構造であれば、画像表示領域３の外側で層厚調整層２６を除去し、かつ、光反射層２３を画像表示領域３の外側まで延長するだけで光反射層２３と走査線２７とを電気的に接続することができる。
【００５６】
さらにまた、本形態では、上記の構成を、垂直配向された液晶を用い、かつ、画素電極１４を反射表示用サブ電極１４１、１４３と透過表示用サブ電極１４２とに分割したＣＰＡモードの電気光学装置１に適用している。このため、画素電極１４を分割した分、画素電極部分での電気的抵抗が増大しているが、このような電極抵抗の増大については、光反射層２３を走査線２７と並列に電気的に接続したことによる電気的抵抗の低減で補うことができる。従って、液晶の配向状態を優先して画素電極１４の分割数や形状などといった構造を決定することができる。
【００５７】
［その他の実施の形態］
上記の実施の形態１、２では、層厚調整層２６については、透過表示領域５１Ｒ、５１Ｇ、５１Ｂに相当する領域では薄く、反射表示領域５２Ｒ、５２Ｇ、５２Ｂでは厚くしたが、層厚調整層２６については、透過表示領域５１Ｒ、５１Ｇ、５１Ｂから完全に除去してもよい。また、下地層２２については、透過表示領域５１Ｒ、５１Ｇ、５１Ｂに相当する領域で完全に除去したが、その一部あるいは全部を透過表示領域５１Ｒ、５１Ｇ、５１Ｂに残してもよい。
【００５８】
また、上記の実施の形態１、２では、光反射層２３と走査線２７との介在する絶縁層を層間絶縁層２６とした例を説明したが、このような絶縁層が平坦化膜である場合に本発明を適用してもよい。また、上記の実施の形態１、２では、走査線２７や画素電極１４がＩＴＯ層からなる場合を説明したが、走査線２７や画素電極１４にＩＺＯ層が用いられている場合に本発明を適用してもよい。また、光反射層２３については、アルミニウム、銀、チタン、モリブデン、タンタル、あるいはこれらの金属の合金若しくは金属化合物を用いることができる。ここで、光反射層２３は、これらの金属、その合金若しくは金属化合物を単層で用いてもよいが、複数の層を積層した構造であってもよい。
【００５９】
また、上記の実施の形態２では、液晶層８を垂直配向された液晶によって構成するとともに、画素電極１４の方を分割してＣＰＡモードを実現したが、このような分割を走査線２７の方、あるいは走査線２７と画素電極１４の双方に行った場合でも、本発明を適用することができる。
【００６０】
さらに、上記の実施の形態１、２は、アクティブ素子としてＴＦＤ素子を用いた液晶パネルを備えた電気光学装置を例に説明したが、パッシブマトリクス型の液晶パネルを備えた電気光学装置などに本発明を適用してもよい。
【００６１】
［電子機器への搭載例］
図９（ａ）、（ｂ）は、本発明を適用した電子機器の一例としての折り畳み式携帯電話機を折り畳んだ状態、および開いた状態の説明図である。
【００６２】
本発明を適用した電気光学装置は、例えば、図９（ａ）、（ｂ）に示す携帯電話機３００に用いられる。この携帯電話３００では、蓋体３３０がヒンジ部３４０を介して操作本体３５０に回動自在に連結されている。携帯電話機３００は、蓋体３３０を開いたときに蓋体３３０の内側で画像を表示するメイン表示部３１１を備える一方、蓋体３３０の外側には、蓋材３３０を操作本体３５０に折り重ねたときに画像を表示するサブ表示部３２１を備えている。このような折り畳み式の携帯電話機３００に本発明を適用するにあたっては、例えば、メイン表示部３１１を構成する電気光学装置の本発明を適用する。
【００６３】
なお、本発明を適用した電気光学装置１は、上記携帯電話機の他、モバイルコンピュータ、デジタルカメラ、ムービーカメラ、車載機器、オーディオ機器、プロジェクタなどの各種電子機器に用いることができる。
【図面の簡単な説明】
【００６４】
【図１】本発明に係る電気光学装置の電気的構成を示すブロック図である。
【図２】本発明に係る電気光学装置の斜視図である。
【図３】本発明の実施の形態１に係る電気光学装置の概略構成を示す分解斜視図である。
【図４】（ａ）、（ｂ）は、本発明の実施の形態１に係る電気光学装置を図２のＡ−Ａ′線に相当する位置で切断したときの一方側端部の断面図、および他方側端部の断面図である。
【図５】本発明の実施の形態１に係る電気光学装置における画素電極、走査線、および光反射層の位置関係を平面的に示す説明図である。
【図６】本発明の実施の形態２に係る電気光学装置の概略構成を示す分解斜視図である。
【図７】（ａ）、（ｂ）は、本発明の実施の形態２に係る電気光学装置を図２のＡ−Ａ′線に相当する位置のうち、反射表示領域を通る位置で切断したときの一方側端部の断面図、および透過表示領域を通る位置で切断したときの一方側端部の断面図である。
【図８】本発明の実施の形態２に係る電気光学装置における画素電極、走査線、および光反射層の位置関係を平面的に示す説明図である。
【図９】（ａ）、（ｂ）は、本発明を適用した電子機器の一例としての折り畳み式携帯電話機を折り畳んだ状態、および開いた状態の説明図である。
【符号の説明】
【００６５】
１  電気光学装置、２  液晶パネル、５、５Ｒ、５Ｇ、５Ｂ  サブ画素、８  液晶層（電気光学物質層）、１０  第１透明基板、１４  画素電極、１７  データ線、２０  第２透明基板、２２  下地層、２３  光反射層、２５Ｒ、２５Ｇ、２５Ｂ  カラーフィルタ層、２６  層厚調整層、１４１、１４３  反射表示用サブ電極、１４２  透過表示用サブ電極、２３１  光反射層の光透過部
【図１】
2006098453.tif 000003
【図２】
2006098453.tif 000004
【図３】
2006098453.tif 000005
【図４】
2006098453.tif 000006
【図５】
2006098453.tif 000007
【図６】
2006098453.tif 000008
【図７】
2006098453.tif 000009
【図８】
2006098453.tif 000010
【図９】
2006098453.tif 000011